【手続補正書】
【提出日】平成28年2月18日(2016.2.18)
【手続補正１】
【補正対象書類名】特許請求の範囲
【補正対象項目名】全文
【補正方法】変更
【補正の内容】
【特許請求の範囲】
【請求項１】
ユーザ機器、すなわちＵＥ、によるワイヤレス通信のための方法であって、
サービング基地局がワイヤレスローカルエリアネットワーク、すなわちＷＬＡＮ、および無線アクセスネットワーク、すなわちＲＡＮ、インターワーキングをサポートするかどうかを判断することを備え、
前記判断に基づいて、送信をＷＬＡＮアクセスポイント、すなわちＡＰ、と関連付けるかまたは交換する前に前記サービング基地局にアクセスするかどうかを判断することによって特徴付けられる、方法。
【請求項２】
前記判断することは、ＷＬＡＮおよびＲＡＮインターワーキングが前記サービング基地局のこのセル中で可能にされるかどうかを、前記サービング基地局が前記ＢＣＣＨを介して示すかどうかを判断することを備える、請求項１に記載の方法。
【請求項３】
前記指示が、
サポートＷＬＡＮおよびＲＡＮインターワーキングの指示、
１つまたは複数のＷＬＡＮ  ＡＰの識別子、または
１つまたは複数のＷＬＡＮ  ＡＰについての広告のタイミングの指示のうちの１つまたは複数を備え、前記判断は、前記指示が存在するかどうかを判断することを備える、請求項２に記載の方法。
【請求項４】
前記１つまたは複数のＷＬＡＮ  ＡＰが、ネットワークアクセス識別子ホーム領域、すなわちＮＡＩＨＲ、サービスセット識別子、すなわちＳＳＩＤ、基本ＳＳＩＤ、すなわちＢＳＳＩＤ、同種拡張ＳＳＩＤ、すなわちＨＥＳＳＩＤ、または第３世代パートナーシッププロジェクト、すなわち３ＧＰＰ、セルラーネットワーク情報によって識別される、請求項３に記載の方法。
【請求項５】
前記サービング基地局にアクセスすることと、前記サービング基地局から、前記ＷＬＡＮ  ＡＰを測定するようにとの要求を受信することとをさらに備える、請求項１に記載の方法。
【請求項６】
前記サービング基地局にアクセスすることと、前記アクセスプロシージャの一部として前記ＷＬＡＮ  ＡＰを識別することとをさらに備える、請求項１に記載の方法。
【請求項７】
送信を前記ＷＬＡＮ  ＡＰと関連付けるかまたは交換する前に前記サービング基地局にアクセスするかどうかを前記判断することは、送信を前記ＷＬＡＮ  ＡＰと関連付けるかまたは交換する前に前記サービング基地局にアクセスすることをポリシーが示すかどうかを判断することを備える、請求項１に記載の方法。
【請求項８】
前記ポリシーがコアネットワーク、すなわちＣＮ、からのポリシーを備える、請求項７に記載の方法。
【請求項９】
前記ポリシーが、それのために最初に前記サービング基地局にアクセスするためのトラフィックのタイプを示す、請求項７に記載の方法。
【請求項１０】
トラフィックの前記タイプが、１つまたは複数のインターネットプロトコル、すなわちＩＰ、フロー、ベアラ、またはアクセスポイント名、すなわちＡＰＮ、トラフィックを備える、請求項９に記載の方法。
【請求項１１】
ユーザ機器、すなわちＵＥ、によるワイヤレス通信のための装置であって、
サービング基地局がワイヤレスローカルエリアネットワーク、すなわちＷＬＡＮ、および無線アクセスネットワーク、すなわちＲＡＮ、インターワーキングをサポートするかどうかを判断するための手段を備え、
サービング基地局がワイヤレスローカルエリアネットワーク、すなわちＷＬＡＮ、および無線アクセスネットワーク、すなわちＲＡＮ、インターワーキングをサポートするかどうかを判断した結果に基づいて、送信をＷＬＡＮアクセスポイント、すなわちＡＰ、と関連付けるかまたは交換する前に前記サービング基地局にアクセスするかどうかを判断するための手段によって特徴付けられる、装置。
【請求項１２】
判断するための前記手段は、ＷＬＡＮおよびＲＡＮインターワーキングが前記サービング基地局のこのセル中で可能にされるかどうかを、前記サービング基地局が前記ＢＣＣＨを介して示すかどうかを判断するための手段を備える、請求項１１に記載の装置。
【請求項１３】
前記指示が、
サポートＷＬＡＮおよびＲＡＮインターワーキングの指示、
１つまたは複数のＷＬＡＮ  ＡＰの識別子、または
１つまたは複数のＷＬＡＮ  ＡＰについての広告のタイミングの指示のうちの１つまたは複数を備え、前記判断は、前記指示が存在するかどうかを判断することを備える、請求項１２に記載の装置。
【請求項１４】
前記サービング基地局にアクセスすることと、前記サービング基地局から、前記ＷＬＡＮ  ＡＰを測定するようにとの要求を受信することとを行うための手段をさらに備える、請求項１１に記載の装置。
【請求項１５】
ユーザ機器、すなわちＵＥ、によるワイヤレス通信のためのコンピュータプログラム製品であって、
サービング基地局がワイヤレスローカルエリアネットワーク、すなわちＷＬＡＮ、および無線アクセスネットワーク、すなわちＲＡＮ、インターワーキングをサポートするかどうかを判断することを行うための命令を記憶したコンピュータ可読媒体を備え、
前記判断に基づいて、送信をＷＬＡＮアクセスポイント、すなわちＡＰ、と関連付けるかまたは交換する前に前記サービング基地局にアクセスするかどうかを判断することによって特徴付けられる、コンピュータプログラム製品。
【手続補正２】
【補正対象書類名】明細書
【補正対象項目名】０１１９
【補正方法】変更
【補正の内容】
【０１１９】
[0119]上記は本開示の態様を対象とするが、本開示の他の態様およびさらなる態様は、それらの基本的範囲から逸脱することなく考案され得、それらの範囲は以下の特許請求の範囲によって判断される。
以下に、出願当初の特許請求の範囲に記載された発明を付記する。
［Ｃ１］
ユーザ機器（ＵＥ）によるワイヤレス通信のための方法であって、
サービング基地局がワイヤレスローカルエリアネットワーク（ＷＬＡＮ）および無線アクセスネットワーク（ＲＡＮ）インターワーキングをサポートするかどうかを判断することと、
前記判断に基づいて、送信をＷＬＡＮアクセスポイント（ＡＰ）と関連付けるかまたは交換する前に前記サービング基地局にアクセスするかどうかを判断することとを備える、方法。
［Ｃ２］
前記判断することは、ＷＬＡＮおよびＲＡＮインターワーキングが前記サービング基地局のこのセル中で可能にされるかどうかを、前記サービング基地局が前記ＢＣＣＨを介して示すかどうかを判断することを備える、Ｃ１に記載の方法。
［Ｃ３］
前記指示が、
サポートＷＬＡＮおよびＲＡＮインターワーキングの指示、
１つまたは複数のＷＬＡＮ  ＡＰの識別子、または
１つまたは複数のＷＬＡＮ  ＡＰについての広告のタイミングの指示のうちの１つまたは複数を備え、前記判断は、前記指示が存在するかどうかを判断することを備える、Ｃ２に記載の方法。
［Ｃ４］
前記１つまたは複数のＷＬＡＮ  ＡＰが、ネットワークアクセス識別子ホーム領域（ＮＡＩＨＲ）、サービスセット識別子（ＳＳＩＤ）、基本ＳＳＩＤ（ＢＳＳＩＤ）、同種拡張ＳＳＩＤ（ＨＥＳＳＩＤ）、または第３世代パートナーシッププロジェクト（３ＧＰＰ）セルラーネットワーク情報によって識別される、Ｃ３に記載の方法。
［Ｃ５］
前記サービング基地局にアクセスすることと、前記サービング基地局から、前記ＷＬＡＮ  ＡＰを測定するようにとの要求を受信することとをさらに備える、Ｃ１に記載の方法。
［Ｃ６］
前記サービング基地局にアクセスすることと、前記アクセスプロシージャの一部として前記ＷＬＡＮ  ＡＰを識別することとをさらに備える、Ｃ１に記載の方法。
［Ｃ７］
送信を前記ＷＬＡＮ  ＡＰと関連付けるかまたは交換する前に前記サービング基地局にアクセスするかどうかを前記判断することは、送信を前記ＷＬＡＮ  ＡＰと関連付けるかまたは交換する前に前記サービング基地局にアクセスすることをポリシーが示すかどうかを判断することを備える、Ｃ１に記載の方法。
［Ｃ８］
前記ポリシーがコアネットワーク（ＣＮ）からのポリシーを備える、Ｃ７に記載の方法。
［Ｃ９］
前記ポリシーが、それのために最初に前記サービング基地局にアクセスするためのトラフィックのタイプを示す、Ｃ７に記載の方法。
［Ｃ１０］
トラフィックの前記タイプが、１つまたは複数のインターネットプロトコル（ＩＰ）フロー、ベアラ、またはアクセスポイント名（ＡＰＮ）トラフィックを備える、Ｃ９に記載の方法。
［Ｃ１１］
ユーザ機器（ＵＥ）によるワイヤレス通信のための装置であって、
サービング基地局がワイヤレスローカルエリアネットワーク（ＷＬＡＮ）および無線アクセスネットワーク（ＲＡＮ）インターワーキングをサポートするかどうかを判断するための手段と、
サービング基地局がワイヤレスローカルエリアネットワーク（ＷＬＡＮ）および無線アクセスネットワーク（ＲＡＮ）インターワーキングをサポートするかどうかを判断した結果に基づいて、送信をＷＬＡＮアクセスポイント（ＡＰ）と関連付けるかまたは交換する前に前記サービング基地局にアクセスするかどうかを判断するための手段とを備える、装置。
［Ｃ１２］
判断するための前記手段は、ＷＬＡＮおよびＲＡＮインターワーキングが前記サービング基地局のこのセル中で可能にされるかどうかを、前記サービング基地局が前記ＢＣＣＨを介して示すかどうかを判断するための手段を備える、Ｃ１１に記載の装置。
［Ｃ１３］
前記指示が、
サポートＷＬＡＮおよびＲＡＮインターワーキングの指示、
１つまたは複数のＷＬＡＮ  ＡＰの識別子、または
１つまたは複数のＷＬＡＮ  ＡＰについての広告のタイミングの指示のうちの１つまたは複数を備え、前記判断は、前記指示が存在するかどうかを判断することを備える、Ｃ１２に記載の装置。
［Ｃ１４］
前記１つまたは複数のＷＬＡＮ  ＡＰが、ネットワークアクセス識別子ホーム領域（ＮＡＩＨＲ）、サービスセット識別子（ＳＳＩＤ）、基本ＳＳＩＤ（ＢＳＳＩＤ）、同種拡張ＳＳＩＤ（ＨＥＳＳＩＤ）、または第３世代パートナーシッププロジェクト（３ＧＰＰ）セルラーネットワーク情報によって識別される、Ｃ１３に記載の装置。
［Ｃ１５］
前記サービング基地局にアクセスすることと、前記サービング基地局から、前記ＷＬＡＮ  ＡＰを測定するようにとの要求を受信することとを行うための手段をさらに備える、Ｃ１１に記載の装置。
［Ｃ１６］
前記サービング基地局にアクセスすることと、前記アクセスプロシージャの一部として前記ＷＬＡＮ  ＡＰを識別することとを行うための手段をさらに備える、Ｃ１１に記載の装置。
［Ｃ１７］
送信を前記ＷＬＡＮ  ＡＰと関連付けるかまたは交換する前に前記サービング基地局にアクセスするかどうかを判断するための前記手段は、送信を前記ＷＬＡＮ  ＡＰと関連付けるかまたは交換する前に前記サービング基地局にアクセスすることをポリシーが示すかどうかを判断するための手段を備える、Ｃ１１に記載の装置。
［Ｃ１８］
前記ポリシーがコアネットワーク（ＣＮ）からのポリシーを備える、Ｃ１７に記載の装置。
［Ｃ１９］
前記ポリシーが、それのために最初に前記サービング基地局にアクセスするためのトラフィックのタイプを示す、Ｃ１７に記載の装置。
［Ｃ２０］
トラフィックの前記タイプが、１つまたは複数のインターネットプロトコル（ＩＰ）フロー、ベアラ、またはアクセスポイント名（ＡＰＮ）トラフィックを備える、Ｃ１９に記載の装置。
［Ｃ２１］
ユーザ機器（ＵＥ）によるワイヤレス通信のための装置であって、
サービング基地局がワイヤレスローカルエリアネットワーク（ＷＬＡＮ）および無線アクセスネットワーク（ＲＡＮ）インターワーキングをサポートするかどうかを判断することと、前記判断に基づいて、送信をＷＬＡＮアクセスポイント（ＡＰ）と関連付けるかまたは交換する前に前記サービング基地局にアクセスするかどうかを判断することとを行うように構成された少なくとも１つのプロセッサと、
前記少なくとも１つのプロセッサに結合されたメモリとを備える、装置。
［Ｃ２２］
ユーザ機器（ＵＥ）によるワイヤレス通信のためのコンピュータプログラム製品であって、
サービング基地局がワイヤレスローカルエリアネットワーク（ＷＬＡＮ）および無線アクセスネットワーク（ＲＡＮ）インターワーキングをサポートするかどうかを判断することと、
前記判断に基づいて、送信をＷＬＡＮアクセスポイント（ＡＰ）と関連付けるかまたは交換する前に前記サービング基地局にアクセスするかどうかを判断することとを行うための命令を記憶したコンピュータ可読媒体を備える、コンピュータプログラム製品。